【事件の表示】
　特許第３０４５０３２号「ヘッドホン」の請求項１ないし３に係る特許に対する特許異議の申立てについて、次のとおり決定する。
【結　論】
　訂正を認める。
　特許第３０４５０３２号の請求項１、２に係る特許を維持する。
【理　由】
第１　手続の経緯
　本件特許第３０４５０３２号の請求項１ないし２に係る発明についての出願は、平成７年２月２１日に出願したものであって、平成１２年３月１７日にその発明について特許の設定登録がされ、その後、その特許について、異議申立人日本電信電話株式会社により特許異議の申立がなされ、取消しの理由が通知され、その指定期間内である平成１３年６月４日に訂正請求がなされ（後日取り下げ）、再度の取消しの理由が通知され、その指定期間内である平成１３年１２月２７日に訂正請求がなされたものである。
　
第２　訂正の適否についての判断
１　訂正の内容
（１）訂正事項１
　特許請求の範囲に記載の「【請求項１】電気信号を音響信号に変換する電気音響変換装置と、当該電気音響変換装置を格納する筺体と、一端が前記筺体もしくは当該筺体と一体の基台に固定された弾性支持部材と、該弾性支持部材の他端に設けられた振動部材と、前記電気音響変換装置に供給される電気信号の低周波成分を取り出すためのフィル夕とを備え、前記振動部材は、一定の質量を付加してその合計質量と弾性支持部材の弾性係数とで決定される振動の共振周波数を、前記フィル夕を介して取り出された前記電気音響変換装置に供給される電気信号の低周波成分によって振動するように設定しており、前記振動部材の振動を、前記電気音響変換装置に供給される電気信号と相関を持つ一次振動として当該一次振動が筺体に伝達されることにより筺体に二次振動を発生させるように構成したことを特徴とするヘッドホン。
【請求項２】筺体に発生させる二次振動は、その筺体に触れている皮膚を介して当該人体に感じるに充分足りる振動であることを特徴とする請求項１記載のヘッドホン。
【請求項３】振動部材を支持する弾性支持部材が、複数であることを特徴とする請求項１または２記載のヘッドホン。」を、
「【請求項１】電気信号を音響信号に変換する電気音響変換装置と、当該電気音響変換装置を格納する筺体と、一端が前記筺体もしくは当該筺体と一体の基台に固定された弾性支持部材と、該弾性支持部材の他端に設けられた振動部材とを備え、前記振動部材は、前記筺体側に固定されたコイルに電流が流れることにより当該コイルに対して相対的に変化するように、少なくともヨークおよびマグネットを一体的に構成することにより一定の質量を付加し、その合計質量と前記弾性支持部材の弾性係数とで決定される振動の共振周波数で所定の振幅をもって振動するように設定し、前記電気音響変換装置に供給される電気信号の低周波成分は、低周波成分を取り出すためのフィル夕及びその低周波成分のアンプを介して供給され、前記コイルに供給される電気信号は、前記電気音響変換装置に供給される低周波成分の電気信号が振動ドライバを介して更にゲインアップされ、周波数特性が前記電気音響変換装置に供給される電気信号と相似の特性を有する電気信号として供給され、前記共振周波数が、前記低周波成分の周波数範囲に含まれるように、前記質量と弾性係数を設定し、前記振動部材の振動は、前記コイルに供給される電気信号により、前記電気音響変換装置に供給される電気信号のレベルの大小と相関を持つゲインアップされた振幅の一次振動として発生し、当該一次振動が前記弾性支持部材を介して前記筺体に伝達されることにより、当該筺体に、当該一次振動の振幅に対応して二次振動を発生させるように構成したことを特徴とするヘッドホン。
【請求項２】振動部材を支持する弾性支持部材が、複数で、前記質量とにより決まる共振周波数を設定するものであることを特徴とする請求項１記載のヘッドホン。」と訂正する。
　
（２）訂正事項２
　明細書の段落番号【０００８】を、
「【課題を解決するための手段】前記課題を解決するために本発明のヘッドホンは、電気信号を音響信号に変換する電気音響変換装置と、当該電気音響変換装置を格納する筺体と、一端が前記筺体もしくは当該筺体と一体の基台に固定された弾性支持部材と、該弾性支持部材の他端に設けられた振動部材とを備え、前記振動部材は、前記筺体側に固定されたコイルに電流が流れることにより当該コイルに対して相対的に変化するように、少なくともヨークおよびマグネットを一体的に構成することにより一定の質量を付加し、その合計質量と前記弾性支持部材の弾性係数とで決定される振動の共振周波数で所定の振幅をもって振動するように設定し、前記電気音響変換装置に供給される電気信号の低周波成分は、低周波成分を取り出すためのフィル夕及びその低周波成分のアンプを介して供給され、前記コイルに供給される電気信号は、前記電気音響変換装置に供給される低周波成分の電気信号が振動ドライバを介して更にゲインアップされ、周波数特性が前記電気音響変換装置に供給される電気信号と相似の特性を有する電気信号として供給され、前記共振周波数が、前記低周波成分の周波数範囲に含まれるように、前記質量と弾性係数を設定し、前記振動部材の振動は、前記コイルに供給される電気信号により、前記電気音響変換装置に供給される電気信号のレベルの大小と相関を持つゲインアップされた振幅の一次振動として発生し、当該一次振動が前記弾性支持部材を介して前記筺体に伝達されることにより、当該筺体に、当該一次振動の振幅に対応して二次振動を発生させるように構成したものである。」と訂正する。
　
（３）訂正事項３
　明細書の段落番号【０００９】を、
「【作用】本発明は前記した構成によって、前記振動部材は、コイルを固定側として当該コイルに電気音響変換装置から生じる音響信号に基づく電流を流すことにより、電気音響変換装置から生じる音響信号の低周波成分の信号のレベルの大小と相関を持ち、かつ当該音響信号の低周波成分の信号よりゲインアップされた電気信号に基づく振幅の一次振動として発生し、これに同期した振動を二次振動として筺体に伝達することにより、この振動を筺体に直に触れている耳介等の皮膚に伝えることができ、その音響信号を音として鼓膜に伝えると同時に、振動部材の振動を低音成分の信号と相関を持つ振動により皮膚に伝えることで低音を体感することを可能とし、電気音響変換装置の限界を超えた迫力のある低音の再生を実現することとなる。」と訂正する。
　
（４）訂正事項４
　明細書の段落番号【００２１】を、
「【発明の効果】以上のように本発明は、電気信号を音響信号に変換する電気音響変換装置と、当該電気音響変換装置を格納する筺体と、一端が前記筺体もしくは当該筺体と一体の基台に固定された弾性支持部材と、該弾性支持部材の他端に設けられた振動部材とを備え、前記振動部材は、前記筺体側に固定されたコイルに電流が流れることにより当該コイルに対して相対的に変化するように、少なくともヨークおよびマグネットを一体的に構成することにより一定の質量を付加し、その合計質量と前記弾性支持部材の弾性係数とで決定される振動の共振周波数で所定の振幅をもって振動するように設定し、前記電気音響変換装置に供給される電気信号の低周波成分は、低周波成分を取り出すためのフィル夕及びその低周波成分のアンプを介して供給され、前記コイルに供給される電気信号は、前記電気音響変換装置に供給される低周波成分の電気信号が振動ドライバを介して更にゲインアップされ、周波数特性が前記電気音響変換装置に供給される電気信号と相似の特性を有する電気信号として供給され、前記共振周波数が、前記低周波成分の周波数範囲に含まれるように、前記質量と弾性係数を設定し、前記振動部材の振動は、前記コイルに供給される電気信号により、前記電気音響変換装置に供給される電気信号のレベルの大小と相関を持つゲインアップされた振幅の一次振動として発生し、当該一次振動が前記弾性支持部材を介して前記筺体に伝達されることにより、当該筺体に、当該一次振動の振幅に対応して二次振動を発生させるように構成したものであり、前記振動部材は、コイルを固定側として当該コイルに電気音響変換装置から生じる音響信号に基づく電流を流すことにより、電気音響変換装置から生じる音響信号の低周波成分の信号のレベルの大小と相関を持ち、かつ当該音響信号の低周波成分の信号よりゲインアップされた電気信号に基づく振幅の一次振動として発生し、これに同期した振動を弾性支持部材との共振によって二次振動として筺体に伝達し、筺体に発生した二次振動を当該筺体を通じ耳介に伝えることができ、その音響信号を音として鼓膜に伝えると同時に、振動部材の振動を低音成分の信号と相関を持つ振動により皮膚に伝えることで低音を体感することを可能とし、電気音響変換装置の限界を超えた迫力のある低音の再生を実現することとなる。」と訂正する。
　
２　訂正の目的の適否、新規事項の有無及び拡張・変更の存否
（１）訂正事項１について
　上記訂正事項１については、特許明細書の特許請求の範囲の請求項１において、「振動部材」の具体的な構成について「筺体側に固定されたコイルに電流が流れることにより当該コイルに対して相対的に変化するように、少なくともヨークおよびマグネットを一体的に構成することにより一定の質量を付加」することと、また「電気音響変換装置に供給される電気信号の低周波成分は、低周波成分を取り出すためのフィル夕及びその低周波成分のアンプを介して供給され」ること、また「コイルに供給される電気信号は、前記電気音響変換装置に供給される低周波成分の電気信号が振動ドライバを介して更にゲインアップされ、周波数特性が前記電気音響変換装置に供給される電気信号と相似の特性を有する電気信号として供給され」ること、また「共振周波数が、前記低周波成分の周波数範囲に含まれるように、前記質量と弾性係数を設定」すること、また「振動部材の振動は、前記コイルに供給される電気信号により、前記電気音響変換装置に供給される電気信号のレベルの大小と相関を持つゲインアップされた振幅の一次振動として発生し、当該一次振動が前記弾性支持部材を介して前記篤体に伝達されることにより、当該僅体に、当該一次振動の振幅に対応して二次振動を発生させる」ことを限定しようとするものであり、また、特許請求の範囲の請求項２を削除し、特許請求の範囲の請求項３を新たな請求項２とすると共に、「前記質量とによって決まる共振周波数を設定する」と限定しようとするものである。
　上記「筺体側に固定されたコイル」の部分は、願書に最初に添付した特許明細書の段落番号【００１２】の「９は振動基台２ｆに接着され直径５０ミクロンの絶縁被覆付銅線を２重に巻いて円筒形に成したコイルであり、」に記載されているものであり、また、「コイルに電流が流れることにより当該コイルに対して相対的に変化する」の部分は、同じく段落番号【００１４】の「コイル９に電流が流れると電気音響変換装置１と全く同じ原理でコイル９とヨーク４ａとの間に力を生じ、この力によって弾性支持部材３を変形させることによってコイル９とヨーク４ａとの相対距離が変化する。」に記載されているものであり、また、「少なくともヨークおよびマグネットを一体的に構成する」の部分は、同じく段落番号【００１１】の「４ａは軟鉄をプレスによって絞り込み磁気回路の磁路を担うと共に振動部材を構成する上でのベースになるヨーク、４ｂはヨーク４ａに固定されネオジウム鉄またはサマリウムコバルトでできたマグネット、・・・４ｄは前記ヨーク４ａ,マグネット４ｂ,プレート４ｃを保持すると共に弾性支持部材３に振動部材４を固定するための力シメピンである。」に記載されているものであり、また、「所定の振幅をもって振動するように設定し」の部分は、同じく段落番号【００１４】の「コイル９に供給される電気信号は前記のとおり低音城を中心にした交流信号であるため、この信号に応じてコイル９とヨーク４ａの相対距離は変化つまり振動する。また振動の振幅はコイル９に供給される電気信号のレベルの大小に正の相関を持つ。」に記載されているものであり、また、「前記電気音響変換装置に供給される電気信号の低周波成分は、低周波成分を取り出すためのフィル夕及びその低周波成分のアンプを介して供給され、」の部分は、同じく段落番号【００１３】の「１５は左右のパワーアンプ１４に入力された電気信号が２次のローパスフイル夕を介して入力されるセンターパワーアンプ」及び同段落番号【００１４】の「図４の（ａ）及び（ｂ）の周波数特性からわかるとおり、約１５０Ｈｚでパワー・アンプ１４とセンターパワーアンプ１５の出力レベルが同等となり、且つ位相が反転しているため、１５０Ｈｚの時の電気音響変換装置１の両端に印可される電気信号はＢＴＬ駆動となり、ｌｋＨｚ以上の周波数と比較すると約６ｄＢのゲインアップになると同時に約４倍の電力が供給されることとなる。１５０Ｈｚ以下の周波数では、電気音響変換装置１の両端に供給される電気信号はさらにゲインアップ量を増していくため、結果電気音響変換装置１へ供給される電気信号は低音城でプーストされることとなる。」に記載されているものであり、また、「前記コイルに供給される電気信号は、前記電気音響変換装置に供給される低周波成分の電気信号が振動ドライバを介して更にゲインアップされ、周波数特性が前記電気音響変換装置に供給される電気信号と相似の特性を有する電気信号として供給され、」の部分は、同じく段落番号【００１３】の「振動ドライバ１７の出力特性は、位相反転バッファを介しているため、センターパワーアンプ１５の出力特性に対し、位相が反転し、且つ一定のゲインを持ち、更に周波数特性が相似の特性となっている。すなわち、図３の特性観���ポイントＡ,Ｂ,Ｃにおける特性は図４のそれぞれ（ａ）,（ｂ）,（ｃ）に示すとおりとなっている。」、同段落番号【００１４】の「一方、コイル９の両端に供給される電気信号は図４の（ｂ）と（ｃ）の周波数特性の差分の特性となる。ただし、図４（ｂ）に対して（ｃ）は約１５ｄＢのゲイン差を持って相似の特性であるため、概して（ｃ）の特性がコイル９の両端に供給される電気信号の周波数特性となる。」に記載されているものであり、また、「前記共振周波数が、前記低周波成分の周波数範囲に含まれるように、前記質量と弾性係数を設定し、」、「前記質量とによって決まる共振周波数を設定する」の部分は、同じく段落番号【００１５】の「振動部材４の振動の共振周波数は振動部材全体の質量と弾性支持部材３の弾性係数によって決定づけられる。本実施例においては、一例として、比較試聴を繰り返して最も自然な効果が得られるよう４０Ｈｚに設定した。」に記載されているものであり、ここで、「４０Ｈｚ」は図４（ｃ）に示す周波数特性の範囲に含まれている。また、「前記振動部材の振動は、前記コイルに供給される電気信号により、前記電気音響変換装置に供給される電気信号のレベルの大小と相関を持つゲインアップされた振幅の一次振動として発生し、」の部分は、同じく段落番号【００１４】の「コイル９に供給される電気信号は前記のとおり低音域を中心にした交流信号であるため、この信号に応じてコイル９とヨーク４ａの相対距離は変化つまり振動する。また振動の振幅はコイル９に供給される電気信号のレベルの大小に正の相関を持つ。」、同段落番号【００１３】の「振動ドライバ１７の出力特性は、位相反転バッファを介しているため、センターパワーアンプ１５の出力特性に対し、位相が反転し、且つ一定のゲインを持ち、更に周波数特性が相似の特性となっている。すなわち、図３の特性観測ポイントＡ,Ｂ,Ｃにおける特性は図４のそれぞれ（ａ）,（ｂ）,（ｃ）に示すとおりとなっている。」に記載されているものであり、また、「当該一次振動が前記弾性支持部材を介して前記筺体に伝達されることにより、当該筺体に、当該一次振動の振幅に対応して二次振動を発生させる」は、同じく段落番号【００１５】の「以上のようにして得られた低音域における振動は、振動基台２ｆを介して筺体２全体に伝わり、」に記載されているものである。
　したがって、この訂正事項１は、特許請求の範囲の滅縮を目的とした明細書の訂正に該当し、新規事項の追加に該当せず、実質上特許請求の範囲を拡張又は変更するものでない。
　
（２）上記訂正事項２について
　上記訂正事項２は、上記訂正事項１の特許請求の範囲の訂正に対応して、これと整合するように発明の詳細な説明の欄の段落番号【０００８】【課題を解決するための手段】を訂正するものであるから、明りようでない記載の釈明を目的とした明細書の訂正に該当し、新規事項の追加に該当せず、実質上特許請求の範囲を拡張又は変更するものでない。
　
（３）上記訂正事項３について
　上記訂正事項３は、上記訂正事項１の特許請求の範囲の訂正に対応して、これと整合するように発明の詳細な説明の欄の段落番号【０００９】【作用】を訂正するものであるから、明りようでない記載の釈明を目的とした明細書の訂正に該当し、新規事項の追加に該当せず、実質上特許請求の範囲を拡張又は変更するものでない。
　
（４）上記訂正事項４について
　上記訂正事項４は、上記訂正事項１の特許請求の範囲の訂正に対応して、これと整合するように発明の詳細な説明の欄の段落番号【０００２１】【発明の効果】を訂正するものであるから、明りようでない記載の釈明を目的とした明細書の訂正に該当し、新規事項の追加に該当せず、実質上特許請求の範囲を拡張又は変更するものでない。
　
３　むすび
　したがって、上記訂正は、特許法第１２０条の４第３項において準用する平成６年法律第１１６号による改正前の特許法第１２６条第１項ただし書き、第２項及び第３項の規定に適合するので、当該訂正を認める。
　
第３　特許異議申立について
１　申立理由の概要
　異議申立人日本電信電話株式会社は、本件請求項１ないし３に係る特許発明は、本件特許出願優先日前に公開された甲第１号証（特開昭５１−９４２２０号公報）、甲第２号証（特開平１−１０１７９４号公報）、および甲第３号証（特開昭６３−７４３９８号公報）に記載された発明に基づいて、当業者が容易になし得た発明であるから、特許法第２９条第２項の規定により特許を受けることができず、特許法第１１３条第２項の規定により取り消されるべきものである旨主張している。
　
２　本件発明
　上記第２の記載とおりに上記訂正が認められるから、本件の請求項１ないし２に係る発明（以下、「本件発明１ないし２」という。）は、上記訂正請求に係る訂正明細書の特許請求の範囲の請求項１ないし２に記載された事項により特定される次のとおりのものである。
「【請求項１】電気信号を音響信号に変換する電気音響変換装置と、当該電気音響変換装置を格納する筺体と、一端が前記筺体もしくは当該筺体と一体の基台に固定された弾性支持部材と、該弾性支持部材の他端に設けられた振動部材とを備え、前記振動部材は、前記筺体側に固定されたコイルに電流が流れることにより当該コイルに対して相対的に変化するように、少なくともヨークおよびマグネットを一体的に構成することにより一定の質量を付加し、その合計質量と前記弾性支持部材の弾性係数とで決定される振動の共振周波数で所定の振幅をもって振動するように設定し、前記電気音響変換装置に供給される電気信号の低周波成分は、低周波成分を取り出すためのフィル夕及びその低周波成分のアンプを介して供給され、前記コイルに供給される電気信号は、前記電気音響変換装置に供給される低周波成分の電気信号が振動ドライバを介して更にゲインアップされ、周波数特性が前記電気音響変換装置に供給される電気信号と相似の特性を有する電気信号として供給され、前記共振周波数が、前記低周波成分の周波数範囲に含まれるように、前記質量と弾性係数を設定し、前記振動部材の振動は、前記コイルに供給される電気信号により、前記電気音響変換装置に供給される電気信号のレベルの大小と相関を持つゲインアップされた振幅の一次振動として発生し、当該一次振動が前記弾性支持部材を介して前記筺体に伝達されることにより、当該筺体に、当該一次振動の振幅に対応して二次振動を発生させるように構成したことを特徴とするヘッドホン。
【請求項２】振動部材を支持する弾性支持部材が、複数で、前記質量とにより決まる共振周波数を設定するものであることを特徴とする請求項１記載のヘッドホン。」
　
３　刊行物に記載された発明
（１）刊行物１：特開昭５１−９４２２０号公報（甲第１号証）
　刊行物１には、「音声信号が加えられることにより動作して振動板を振動させる振動板駆動装置と、上記音声信号の低域信号が加えられることにより動作して上記振動板駆動装置全体を低域振動させる駆動手段とを設けたことを特徴とする電気信号−振動変換装置。」（第１頁左下欄特許請求の範囲）、「次に第２図に於いて、（１３）はリング状磁石で、円板状部（６ａ）の他側の周縁部に固定されいる。（１４）はリング状ヨークで、・・・このフランジ部（１４ａ）が磁石（１３）に固定されている。（１５）はダンパーで、フランジ部（１４ａ）に固定されている。（１６）は低周波数振動体で、円板形状を成し、ダンパー（１５）に固定されている。（１６）は低周波数振動体で・・・この振動体（１６）は、鉄等の磁性体で且つ質量の大きい材料が用いられる。」（第２頁左上欄第１４行ないし右上欄第２行）、「上記振動装置（４）は、第１図のヘッドホンのケース（１ａ）、（１ｂ）内に収納されるもので、第２図に於いては、破線で示すケース（ｌａ）内に収納した場合が示されている。第２図に於いて、ヘッドホンを聴取者の頭に付けた状態で、ボイスコイル（１０）に、図示せずも音源からの音声信号を増巾器を介して加えると、前述したように振動板（５）が振動して音声を聞きことができる。これと共にコイル（１８）に上記音声信号から低域ろ波器を介して、例えば数１０Ｈｚの超低城信号を加えると、振動体（１６）が振動されて上記周波数で超低域振動する。この振動により振動装置（４）全体が振動し、さらにこの振動はイヤーパッド（２ａ）、（２ｂ）を介して頭蓋骨に伝達される。従って聴取者は音声を耳で聞きながら音声信号中の超低域の振動を身体で感じ取ることができるので、充分な低音感、臨場感を得ることができる。」（第２頁右上欄第１１行ないし左下欄第７行）、「・・・上記駆動装置全体を低域振動させる駆動手段を設けたものであるから、特に大きなスピーカやスピーカボックスを用いることなく、充分な低音感、臨場感を得ることができる」（第２頁左下欄第１６行ないし第１９行）と記載され、第２図に実施例を示す断面正面図が記載されている。
　
（２）刊行物２：特開昭６３−３５０９７号公報
　刊行物２には、「加振器を備え、この加振器の低域共振周波数をヘッドホン支持系の低域共振周波数と近接した値とすることを特徴とするヘッドホン。」（第１頁左下欄特許請求の範囲）、「加振器（４）は、例えば第２図に示すように構成される。・・・また、ケース（１４）の一方及び他方の解放面にはダンパー（１６）、（１７）が固定される。このダンパー（１６）、（１７）は、例えば第３図に示すようにバネ部材を用いて形成される。第３図に示すダンパー（１６）、（１７）は、いわゆる蝶ダンパーと称されるものである。」（第２頁右上欄第１行ないし第１４行）、「加振器（１４）の低域共振周波数ｆｏ’は、マグレット（１１）、ヨーク（１２）、ヨークプレート（１３）等の磁気回路系の重量、ダンパー（１６）、（１７）のコンプライアンスで決まる。」（第２頁左下欄第１３行ないし第１６行）、図面１，２，３，４が記載されている。
　
（３）刊行物３：特開昭６０−８４０９５号公報
　刊行物３には、「フレーム２の閉塞端部にはケース１０が固定されている。ケース１０内には、低音域電気信号に応じて機械振動を発して主として振動を聴取者に伝える低音振動体が設けられている。・・・第３図に示されているように該低音振動体は、ケース１０に固定されたボイスコイル１１と、マグネット１２，ヨーク１３及びヨークプレート１４から成るドライバユニットたる磁気回路部と、該磁気回路部をケース１０に対して移動自在に支持するダンパ１５とによって構成されており、・・・」（第２頁右上欄第１７行ないし右下欄第７行）が記載されている。
　
（４）刊行物４：特開平１−１０１７９４号公報（甲第２号証）
　刊行物４には、「同図において、２は筒状のケースを示し・・・ここにドライバーユニット３が収納される。ドライバーユニット３は・・・その内部に・・・ボイスコイル８が装着された振動板７が取り付けられる。」（第１頁右下欄第９行ないし第１７行、及び第３図）、「低音限界は、振動板７の共振周波数ｆｏ・・・によって決まってくる。従って、低音特性を改善すべく低音限界周波数を下げるには、振動板７の共振周波数ｆｏを下げればよい。これには、振動板７の等価質量ｍｏを大きくするか、等価スティフネスｓｏを小さくすればよい。ｍｏを大きくする方法は振動板７を重くすればよい。それには、重いボイスコイル８を使うとか、鉛板を付加すればよい。」（第２頁右上欄第１０行ないし左下欄第２行）が記載されている。
　
（５）刊行物５：特開昭６３−７４３９８号公報（甲第３号証）
　刊行物５には、「再生信号の低域周波数成分を加振器に供給し、ヘッドホン自体を振動させ、この振動を体感できるようにしたヘッドホン」（第１頁右下欄第９行ないし第１１行）、「これらの第１図Ａおよび第１図Ｂにおいて、信号源からの再生信号が供給されるスピーカユニット１は、バッフル２に取り付けられており・・・ハウジング５は上記バッフル２に固定されており、該ハウジング内に上記スピーカユニット１と上記加振器が収納される。」（第２頁右上欄第１７行ないし左下欄第５行、及び第１図Ａ）、「上記ケース１４の一方の開放面にはダンパー１６が、他方の開放面にはダンパー１７がそれぞれ設けられている。上記ダンパー１６,１７には例えば第３図に示すような形状のパネ部材が用いられる。」（第２頁右下欄第２行ないし第６行及び第２図）、「上記ダンパーとダンパー１７の夫々の中心部は支持体２０を介して複数固定されている。」（第２頁右下欄第１４行ないし第１５行、及び第２図）が記載されている。
　
４　対比・判断
（１）本件発明１
　本件発明１と刊行物１に記載された発明とを対比すると、刊行物１に記載された発明の「振動板駆動装置」、「磁石」、「ダンパー」、「低周波数振動体」、「超低周波信号用コイル」、「ケース」、「低域ろ波器」はそれぞれ本件発明１の「電気音響変換装置」、「マグネット」、「弾性支持部材」、「振動部材」、「コイル」、「筺体」、「フイルタ」に相当し、両者は「電気信号を音響信号に変換する電気音響変換装置と、当該電気音響変換装置を格納する筺体と、一端が前記筺体もしくは当該筺体と一体の基台に固定された弾性支持部材と、該弾性支持部材の他端に設けられた振動部材とを備えたヘッドフォン」である点で一致し、少なくとも、本件発明１の主要な構成である「電気音響変換装置に供給される電気信号の低周波成分は、低周波成分を取り出すためのフィル夕及びその低周波成分のアンプを介して供給され、コイルに供給される電気信号は、電気音響変換装置に供給される低周波成分の電気信号が振動ドライバを介して更にゲインアップされ、周波数特性が電気音響変換装置に供給される電気信号と相似の特性を有する電気信号として供給され（ること）」が刊行物１に記載された発明には記載されていない点で相違するものと認められる。
　しかしながら、この相違点に係る構成は、刊行物２ないし５の何れにも記載されていないし、示唆もされていなし、また、刊行物２ないし５に記載された事項を組み合わせても推考することができたとはいえない。そして、上記相違点に係る構成により、本願発明１は、明細書記載の「以上のように本発明は、電気信号を音響信号に変換する電気音響変換装置と、当該電気音響変換装置を格納する筺体と、一端が前記筺体もしくは当該筺体と一体の基台に固定された弾性支持部材と、該弾性支持部材の他端に設けられた振動部材とを備え、前記振動部材は、前記筺体側に固定されたコイルに電流が流れることにより当該コイルに対して相対的に変化するように、少なくともヨークおよびマグネットを一体的に構成することにより一定の質量を付加し、その合計質量と前記弾性支持部材の弾性係数とで決定される振動の共振周波数で所定の振幅をもって振動するように設定し、前記電気音響変換装置に供給される電気信号の低周波成分は、低周波成分を取り出すためのフィル夕及びその低周波成分のアンプを介して供給され、前記コイルに供給される電気信号は、前記電気音響変換装置に供給される低周波成分の電気信号が振動ドライバを介して更にゲインアップされ、周波数特性が前記電気音響変換装置に供給される電気信号と相似の特性を有する電気信号として供給され、前記共振周波数が、前記低周波成分の周波数範囲に含まれるように、前記質量と弾性係数を設定し、前記振動部材の振動は、前記コイルに供給される電気信号により、前記電気音響変換装置に供給される電気信号のレベルの大小と相関を持つゲインアップされた振幅の一次振動として発生し、当該一次振動が前記弾性支持部材を介して前記筺体に伝達されることにより、当該筺体に、当該一次振動の振幅に対応して二次振動を発生させるように構成したものであり、前記振動部材は、コイルを固定側として当該コイルに電気音響変換装置から生じる音響信号に基づく電流を流すことにより、電気音響変換装置から生じる音響信号の低周波成分の信号のレベルの大小と相関を持ち、かつ当該音響信号の低周波成分の信号よりゲインアップされた電気信号に基づく振幅の一次振動として発生し、これに同期した振動を弾性支持部材との共振によって二次振動として筺体に伝達し、筺体に発生した二次振動を当該筺体を通じ耳介に伝えることができ、その音響信号を音として鼓膜に伝えると同時に、振動部材の振動を低音成分の信号と相関を持つ振動により皮膚に伝えることで低音を体感することを可能とし、電気音響変換装置の限界を超えた迫力のある低音の再生を実現することとなる。」という格別な作用効果を奏するものである。
　したがって、本件発明１は、上記刊行物１ないし５に記載された発明に基いて、当業者が容易になし得たものとすることはできない。
　
（２）本件発明２
　本件発明２は、本件発明１を引用して更に限定を加えたものであるから、上記（１）本件発明１と同じ理由により、上記刊行物１ないし５に記載された発明に基いて、当業者が容易になし得たものとすることはできない。
　
５　むすび
　したがって、特許異議申立の理由及び証拠によっては、本件の請求項１ないし２に係る特許を取り消すことはできない。
　また、他に本件請求項１ないし２に係る特許を取り消すべき理由を発見しない。
　よって、結論のとおり決定する。
【異議決定日】
平成１４年３月２８日（２００２．３．２８）
【訂正の要旨】
（１）訂正事項１
　特許請求の範囲に記載の「【請求項１】電気信号を音響信号に変換する電気音響変換装置と、当該電気音響変換装置を格納する筺体と、一端が前記筺体もしくは当該筺体と一体の基台に固定された弾性支持部材と、該弾性支持部材の他端に設けられた振動部材と、前記電気音響変換装置に供給される電気信号の低周波成分を取り出すためのフィルタとを備え、前記振動部材は、一定の質量を付加してその合計質量と弾性支持部材の弾性係数とで決定される振動の共振周波数を、前記フィルタを介して取り出された前記電気音響変換装置に供給される電気信号の低周波成分によって振動するように設定しており、前記振動部材の振動を、前記電気音響変換装置に供給される電気信号と相関を持つ一次振動として当該一次振動が筺体に伝達されることにより筺体に二次振動を発生させるように構成したことを特徴とするヘッドホン。
　【請求項２】筺体に発生させる二次振動は、その筺体に触れている皮膚を介して当該人体に感じるに充分足りる振動であることを特徴とする請求項１記載のヘッドホン。
　【請求項３】振動部材を支持する弾性支持部材が、複数であることを特徴とする請求項１または２記載のヘッドホン。」を、特許請求の範囲の減縮を目的として、
「【請求項１】電気信号を音響信号に変換する電気音響変換装置と、当該電気音響変換装置を格納する筺体と、一端が前記筺体もしくは当該筺体と一体の基台に固定された弾性支持部材と、該弾性支持部材の他端に設けられた振動部材とを備え、前記振動部材は、前記筺体側に固定されたコイルに電流が流れることにより当該コイルに対して相対的に変化するように、少なくともヨークおよびマグネットを一体的に構成することにより一定の質量を付加し、その合計質量と前記弾性支持部材の弾性係数とで決定される振動の共振周波数で所定の振幅をもって振動するように設定し、前記電気音響変換装置に供給される電気信号の低周波成分は、低周波成分を取り出すためのフィルタ及びその低周波成分のアンプを介して供給され、前記コイルに供給される電気信号は、前記電気音響変換装置に供給される低周波成分の電気信号が振動ドライバを介して更にゲインアップされ、周波数特性が前記電気音響変換装置に供給される電気信号と相似の特性を有する電気信号として供給され、前記共振周波数が、前記低周波成分の周波数範囲に含まれるように、前記質量と弾性係数を設定し、前記振動部材の振動は、前記コイルに供給される電気信号により、前記電気音響変換装置に供給される電気信号のレベルの大小と相関を持つゲインアップされた振幅の一次振動として発生し、当該一次振動が前記弾性支持部材を介して前記筺体に伝達されることにより、当該筺体に、当該一次振動の振幅に対応して二次振動を発生させるように構成したことを特徴とするヘッドホン。
　【請求項２】振動部材を支持する弾性支持部材が、複数で、前記質量とにより決まる共振周波数を設定するものであることを特徴とする請求項１記載のヘッドホン。」と訂正する。
（２）訂正事項２
，明細書の段落番号【０００８】を、明りょうでない記載の釈明を目的として、
「【課題を解決するための手段】前記課題を解決するために本発明のヘッドホンは、電気信号を音響信号に変換する電気音響変換装置と、当該電気音響変換装置を格納する筺体と、一端が前記筺体もしくは当該筺体と一体の基台に固定された弾性支持部材と、該弾性支持部材の他端に設けられた振動部材とを備え、前記振動部材は、前記筺体側に固定されたコイルに電流が流れることにより当該コイルに対して相対的に変化するように、少なくともヨークおよびマグネットを一体的に構成することにより一定の質量を付加し、その合計質量と前記弾性支持部材の弾性係数とで決定される振動の共振周波数で所定の振幅をもって振動するように設定し、前記電気音響変換装置に供給される電気信号の低周波成分は、低周波成分を取り出すためのフィルタ及びその低周波成分のアンプを介して供給され、前記コイルに供給される電気信号は、前記電気音響変換装置に供給される低周波成分の電気信号が振動ドライバを介して更にゲインアップされ、周波数特性が前記電気音響変換装置に供給される電気信号と相似の特性を有する電気信号として供給され、前記共振周波数が、前記低周波成分の周波数範囲に含まれるように、前記質量と弾性係数を設定し、前記振動部材の振動は、前記コイルに供給される電気信号により、前記電気音響変換装置に供給される電気信号のレベルの大小と相関を持つゲインアップされた振幅の一次振動として発生し、当該一次振動が前記弾性支持部材を介して前記筺体に伝達されることにより、当該筺体に、当該一次振動の振幅に対応して二次振動を発生させるように構成したものである。」と訂正する。
（３）訂正事項３
　明細書の段落番号【０００９】を、明りょうでない記載の釈明を目的として、
「【作用】本発明は前記した構成によって、前記振動部材は、コイルを固定側として当該コイルに電気音響変換装置から生じる音響信号に基づく電流を流すことにより、電気音響変換装置から生じる音響信号の低周波成分の信号のレベルの大小と相関を持ち、かつ当該音響信号の低周波成分の信号よりゲインアップされた電気信号に基づく振幅の一次振動として発生し、これに同期した振動を二次振動として筺体に伝達することにより、この振動を筺体に直に触れている耳介等の皮膚に伝えることができ、その音響信号を音として鼓膜に伝えると同時に、振動部材の振動を低音成分の信号と相関を持つ振動により皮膚に伝えることで低音を体感することを可能とし、電気音響変換装置の限界を超えた迫力のある低音の再生を実現することとなる。」と訂正する。
（４）訂正事項４
　明細書の段落番号【００２１】を、明りょうでない記載の釈明を目的として、
「【発明の効果】以上のように本発明は、電気信号を音響信号に変換する電気音響変換装置と、当該電気音響変換装置を格納する筺体と、一端が前記筺体もしくは当該筺体と一体の基台に固定された弾性支持部材と、該弾性支持部材の他端に設けられた振動部材とを備え、前記振動部材は、前記筺体側に固定されたコイルに電流が流れることにより当該コイルに対して相対的に変化するように、少なくともヨークおよびマグネットを一体的に構成することにより一定の質量を付加し、その合計質量と前記弾性支持部材の弾性係数とで決定される振動の共振周波数で所定の振幅をもって振動するように設定し、前記電気音響変換装置に供給される電気信号の低周波成分は、低周波成分を取り出すためのフィルタ及びその低周波成分のアンプを介して供給され、前記コイルに供給される電気信号は、前記電気音響変換装置に供給される低周波成分の電気信号が振動ドライバを介して更にゲインアップされ、周波数特性が前記電気音響変換装置に供給される電気信号と相似の特性を有する電気信号として供給され、前記共振周波数が、前記低周波成分の周波数範囲に含まれるように、前記質量と弾性係数を設定し、前記振動部材の振動は、前記コイルに供給される電気信号により、前記電気音響変換装置に供給される電気信号のレベルの大小と相関を持つゲインアップされた振幅の一次振動として発生し、当該一次振動が前記弾性支持部材を介して前記筺体に伝達されることにより、当該筺体に、当該一次振動の振幅に対応して二次振動を発生させるように構成したものであり、前記振動部材は、コイルを固定側として当該コイルに電気音響変換装置から生じる音響信号に基づく電流を流すことにより、電気音響変換装置から生じる音響信号の低周波成分の信号のレベルの大小と相関を持ち、かつ当該音響信号の低周波成分の信号よりゲインアップされた電気信号に基づく振幅の一次振動として発生し、これに同期した振動を弾性支持部材との共振によって二次振動として筺体に伝達し、筺体に発生した二次振動を当該筺体を通じ耳介に伝えることができ、その音響信号を音として鼓膜に伝えると同時に、振動部材の振動を低音成分の信号と相関を持つ振動により皮膚に伝えることで低音を体感することを可能とし、電気音響変換装置の限界を超えた迫力のある低音の再生を実現することとなる。」と訂正する。
（５４）【発明の名称】
ヘッドホン
（５７）【特許請求の範囲】
　【請求項１】　電気信号を音響信号に変換する電気音響変換装置と、当該電気音響変換装置を格納する筐体と、一端が前記筐体もしくは当該筐体と一体の基台に固定された弾性支持部材と、該弾性支持部材の他端に設けられた振動部材
とを備え、
　前記振動部材は、
前記筐体側に固定されたコイルに電流が流れることにより当該コイルに対して相対的に変化するように、少なくともヨークおよびマグネットを一体的に構成することにより
し、
前記
で所定の振幅をもって振動するように設定し、
　前記電気音響変換装置に供給される電気信号の低周波成分は、低周波成分を取り出すためのフィルタ及びその低周波成分のアンプを介して供給され、
　前記コイルに供給される電気信号は、前記電気音響変換装置に供給される低周波成分の電気信号が振動ドライバを介して更にゲインアップされ、周波数特性が前記電気音響変換装置に供給される電気信号と相似の特性を有する電気信号として供給され、
　前記共振周波数が、前記低周波成分の周波数範囲に含まれるように、前記質量と弾性係数を設定し、
　前記振動部材の振動
は、前記コイルに供給される電気信号により、
のレベルの大小
ゲインアップされた振幅の
発生し、
前記弾性支持部材を介して前記
、当該
、当該一次振動の振幅に対応して
　【請求項２】　
振動部材を支持する弾性支持部材が、複数で、前記質量とにより決まる共振周波数を設定するもの
【発明の詳細な説明】
　【０００１】
　【産業上の利用分野】
　本発明は、ポータブル音響機器を中心として、音楽を個人で楽しむため耳に装着して使用されるヘッドホンに関するものである。
　【０００２】
　【従来の技術】
　ヘッドホンは頭蓋に係止し耳介及びその周辺に圧接するヘッドバンドタイプと耳介の中に挿入して係止するインナーイヤータイプに大別されるが、近年、いずれのタイプも重低音の再現のため様々な工夫が成されるようになった。
　【０００３】
　以下図面を参照しながら、従来のヘッドホンについてインナーイヤータイプの一例を用いて説明する。
　【０００４】
　図８は従来のヘッドホンの略断面を示すものである。図８において、６１は電気信号を音響信号に変換する電気音響変換装置であり、６１ａは軟鉄でできており磁気回路の磁路を担うと共に電気音響変換装置を構成する上でのベースになるヨーク、６１ｂはヨーク６１ａに固定されネオジウム鉄またはサマリウムコバルトでできたマグネット、６１ｃはマグネット６１ｂに固定されヨーク６１ａと共に磁気ギャップを構成するため軟鉄でできたプレート、６１ｄは直径５０ミクロンの銅鍍金アルミ線を２重に巻いて円筒形に成したボイスコイル、６１ｅは６ミクロンのポリエステルフィルムを加熱整形してできたダイヤフラムでありボイスコイル６１ｄが接着されている。６１ｆは０．５ｍｍ厚の真鍮の板をプレスしドーナツ形状に成したリングであり、ダイヤフラム６１ｅ及びヨーク６１ａに固定されている。６２は筐体であり、６２ａはハウジング、６２ｂはユニットキャップ、６２ｃはダクトキャップ、６２ｄはゴムブッシュである。電気音響変換装置６１は、ハウジング６２ａとユニットキャップ６２ｂとで挟み込むことによって固定されている。また、６３はステンレスネット、６４は２本のリッツ線に塩化ビニールの外皮を施したコード、６５は制動布、６６は低音用音口である。
　【０００５】
　コード６４を介して電気音響変換装置６１へ送り込まれた電気信号は、ボイスコイル６１ｄを流れて力を受け結果ダイヤフラム６１ｅが動き音を生じるのであるが、前面に生じる音はユニットキャップ６２ｂに設けられた孔を通じステンレスネット６３を通過して耳道へ導かれる。一方、背面に生じる音は、音響周波数特性を制御するために利用されている。つまり、一定の音響インピーダンスを通じて筐体６２の外へ放出されている。ハウジング６２ａに張りつけられた制動布６５は高音域に対して中低域を減衰させる方向でバランスを取るために設けられた音響抵抗成分である。特に、低音域についてはハウジング６２ａとダクトキャップ６２ｃ及び低音用音口６６によって構成されたＵ字型のダクトによって設けられた音響Ｌ成分によって低音域における音響インピーダンスを下げることでレベルアップを図っている。
　【０００６】
　【発明が解決しようとする課題】
　しかしながら前記のような従来のヘッドホンは、アンプ側で電気音響変換装置の耐入力限界付近まで重低音域をブーストしても一定の迫力の重低音までしか再生できないことと、仮に耐入力を上げられたとしてもその重低音はあくまでも鼓膜で感じるだけの音に留まり、重低音再生装置を接続したステレオセットの音を聴取する時のような体に伝わる迫力の重低音を体験することができないという問題点を有していた。
　【０００７】
　本発明は、前記従来の問題点に鑑み、電気音響変換装置の限界を超えた迫力のある重低音を手軽に体験することのできるヘッドホンを提供することを目的としてなされたものである。
　【０００８】
　【課題を解決するための手段】
　前記課題を解決するために本発明のヘッドホンは、電気信号を音響信号に変換する電気音響変換装置と、当該電気音響変換装置を格納する筐体と、一端が前記筐体もしくは当該筐体と一体の基台に固定された弾性支持部材と、該弾性支持部材の他端に設けられた振動部材
とを備え、
前記筐体側に固定されたコイルに電流が流れることにより当該コイルに対して相対的に変化するように、少なくともヨークおよびマグネットを一体的に構成することにより
し、
前記
で所定の振幅をもって振動するように設定し、前記電気音響変換装置に供給される電気信号の低周波成分は、低周波成分を取り出すためのフィルタ及びその低周波成分のアンプを介して供給され、前記コイルに供給される電気信号は、前記電気音響変換装置に供給される低周波成分の電気信号が振動ドライバを介して更にゲインアップされ、周波数特性が前記電気音響変換装置に供給される電気信号と相似の特性を有する電気信号として供給され、前記共振周波数が、前記低周波成分の周波数範囲に含まれるように、前記質量と弾性係数を設定し、
は、前記コイルに供給される電気信号により、
のレベルの大小
ゲインアップされた振幅の
発生し、
前記弾性支持部材を介して前記
、当該
、当該一次振動の振幅に対応して
　【０００９】
　【作用】
　本発明は前記した構成によって、
前記振動部材は、コイルを固定側として当該コイルに電気音響変換装置から生じる音響信号に基づく電流を流すことにより、
の低周波成分の信号のレベルの大小
ち、かつ当該音響信号の低周波成分の信号よりゲインアップされた電気信号に基づく振幅の一次振動として発生し、これ
　【００１０】
　【実施例】
　以下本発明ヘッドホンの実施例について、図１〜図７を参照しながら詳細に説明する。
　【００１１】
　図１は本発明の第１の実施例におけるヘッドホンの略断面図を、図２は本発明の第１の実施例におけるヘッドホンに内蔵された振動発生部分を抜き出したもので（ａ）は上面図を、（ｂ）は正面図を、（ｃ）は側面図をそれぞれ示すものである。図１及び図２において、１は電気音響変換装置、２は筐体、２ａ〜２ｇは筐体２を構成する部品であり、２ａは第１のハウジング、２ｂは第１のハウジング２ａと共に電気音響変換装置１を挟み込み固定するためのユニットキャップ、２ｃはダクトキャップ、２ｄはゴムブッシュ、２ｅは第２のハウジング、２ｆは第１のハウジング２ａに固定され振動発生部分を構成するためのベースとなる振動基台、２ｇはエラストマで成形されユニットキャップ２ｂの外周に弾性圧着されたゴムリングである。３は振動基台２ｆに１端を固定された弾性支持部材、４は弾性支持部材３の他端に固定された振動部材、４ａ〜４ｄは後述するコイル９と供に振動部材４を構成する部品である。４ａは軟鉄をプレスによって絞り込み磁気回路の磁路を担うと共に振動部材を構成する上でのベースになるヨーク、４ｂはヨーク４ａに固定されネオジウム鉄またはサマリウムコバルトでできたマグネット、４ｃはマグネット４ｂに固定されヨーク４ａと共に磁気ギャップを構成するため軟鉄をプレスしドーナツ形状に成したプレート、４ｄは前記ヨーク４ａ，マグネット４ｂ，プレート４ｃを保持すると共に弾性支持部材３に振動部材４を固定するためのカシメピンである。
　【００１２】
　５はステンレスネット、６は３本のリッツ線を内蔵し塩化ビニールの被覆を施したコード、７は電気音響変換装置１の背面に生ずる音に対して一定の音響抵抗を付加するための制動布、８は第２のハウジング２ｅに設けられた低音用音口である。９は振動基台２ｆに接着され直径５０ミクロンの絶縁被覆付銅線を２重に巻いて円筒形に成したコイルであり、１０は弾性支持部材３の１端と振動基台２ｆを固定するためのビス、１１は第１のハウジング２ａと第２のハウジング２ｅ及びダクトキャップ２ｃとを固定するためのビス、１２は振動基台２ｆに固定されたプリント基板、１３はコイル９の引き出し線である。プリント基板１２は、前記コイル９よりの２本の引き出し線１３の端子１２ａ及び１２ｂを有し、一方の端子１２ａを電気音響変換装置１及びコード６への引き出し線１３ａ，１３ｂ、他方の端子１２ｂをコード６側へ接続する引き出し線１３ｃのための端子板として機能させている。
　【００１３】
　図３は本発明の第１の実施例におけるヘッドホンを駆動するための回路構成を示した概略ブロック図である。図３において、１は音響出力を得る電気音響変換装置、９は振動出力を得る振動部材４を構成する前記コイルである。Ｌ，Ｒはステレオ入力された左右チャンネルの電気信号入力端子、１４は左右に独立したパワーアンプ、１５は左右のパワーアンプ１４に入力された電気信号が２次のローパスフィルタを介して入力されるセンターパワーアンプ、１６はセンターパワーアンプ１５の出力を入力とした位相反転バッファ、１７は位相反転バッファの出力を入力とした振動ドライバーアンプである。左右独立のパワーアンンプ１４の出力はそれぞれ左右の電気音響変換装置１を介してセンターパワーアンプ１５の出力に接続されている。振動ドライバアンプ１７の出力は左右のコイル９を介して共通となり同じくセンターパワーアンプ１５の出力に接続されている。前記２次のローパスフィルタは図３のとおり独立の１次ローパスフィルタが直列に接続されており、それぞれの１次ローパスフィルタのカットオフ周波数は数Ｈｚ以下に設定されているため、パワーアンプ１４の入力に対してセンターパワーアンプ１５の入力においては１０Ｈｚ以上の周波数で位相が反転し且つ１２ｄＢ／Ｏｃｔ．の傾斜を持つ特性を持っている。振動ドライバ１７の出力特性は、位相反転バッファを介しているため、センターパワーアンプ１５の出力特性に対し、位相が反転し、且つ一定のゲインを持ち、更に周波数特性が相似の特性となっている。すなわち、図３の特性観測ポイントＡ，Ｂ，Ｃにおける特性は図４のそれぞれ（ａ），（ｂ），（ｃ）に示すとおりとなっている。
　【００１４】
　以上のように構成されたヘッドホンについて、以下その動作について説明する。まず、図４の（ａ）及び（ｂ）の周波数特性からわかるとおり、約１５０Ｈｚでパワーアンプ１４とセンターパワーアンプ１５の出力レベルが同等となり、且つ位相が反転しているため、１５０Ｈｚの時の電気音響変換装置１の両端に印可される電気信号はＢＴＬ駆動となり、１ｋＨｚ以上の周波数と比較すると約６ｄＢのゲインアップになると同時に約４倍の電力が供給されることとなる。１５０Ｈｚ以下の周波数では、電気音響変換装置１の両端に供給される電気信号はさらにゲインアップ量を増していくため、結果電気音響変換装置１へ供給される電気信号は低音域でブーストされることとなる。一方、コイル９の両端に供給される電気信号は図４の（ｂ）と（ｃ）の周波数特性の差分の特性となる。ただし、図４（ｂ）に対して（ｃ）は約１５ｄＢのゲイン差を持って相似の特性であるため、概して（ｃ）の特性がコイル９の両端に供給される電気信号の周波数特性となる。コイル９に電流が流れると電気音響変換装置１と全く同じ原理でコイル９とヨーク４ａとの間に力を生じ、この力によって弾性支持部材３を変形させることによってコイル９とヨーク４ａとの相対距離が変化する。コイル９に供給される電気信号は前記のとおり低音域を中心にした交流信号であるため、この信号に応じてコイル９とヨーク４ａの相対距離は変化つまり振動する。また振動の振幅はコイル９に供給される電気信号のレベルの大小に正の相関を持つ。
　【００１５】
　ここで振動の共振周波数について触れることにする。コイル９が接着された振動基台２ｆを固定部側として考えると、振動部材４の振動の共振周波数は振動部材全体の質量と弾性支持部材３の弾性係数によって決定づけられる。本実施例においては、一例として、比較試聴を繰り返して最も自然な効果が得られるよう４０Ｈｚに設定した。そのため、弾性支持部材３は、例えば厚さ１００ミクロンのステンレスの板に選定すると共に、図２（ａ）の如く板の幅を非均一な形状にすると共に、その表面にシリコンゴムを薄くコーティング（図示せず）することで共振のＱダンプを行った。以上のようにして得られた低音域における振動は、振動基台２ｆを介して筐体２全体に伝わり、その結果、当該振動が、ヘッドホンを装着した耳介の皮膚に伝わることとなる。
　【００１６】
　以上のように本実施例によれば、耳介に挿入して装着し使用されるインナーイヤータイプのヘッドホンにおいて、電気信号を音響信号に変換する電気音響変換装置を格納する筐体内に、当該筐体に一端を固定された弾性支持部材と、当該弾性支持部材の他端に設けられた振動部材とを有し、前記電気信号からローパスフィルタを介して得られた電気信号によって当該振動部材が振動するよう構成され、結果その振動が前記弾性支持部材を通じて筐体に伝達されるように構成したことによって低音域の電気信号に応じた振動を耳介付近の皮膚で感じることが可能となり、電気音響変換装置の限界を超えた迫力のある重低音を体感することができる。
　【００１７】
　図５は本発明の第２の実施例におけるバンドタイプのヘッドホンの一例を示した略断面図である。図５において、１は電気音響変換装置、２は筐体、３は弾性支持部材、４は振動部材である。本実施例の駆動回路及び動作は第１の実施例と同等のため省略する。
　【００１８】
　第６図は本発明の第３の実施例におけるヘッドホンの振動部材の平面図を示しているものであり、同図（ａ）（ｂ）において、振動部材４を支持する弾性支持部材３を複数の支持部としたものであり、振動基台２ｆが環状に形成され、その中央部に振動部材４が位置されるようになっている。
　【００１９】
　また、第７図は本発明の第４の実施例におけるヘッドホンの振動部材の略断面図を示しているものであり、同図において、振動基台２ｆ上にスペーサ２ｈとカバー２ｉによって挟持した上下一対の弾性支持部材３ａ，３ｂにより、振動部材４をその上下で支持するものであり、図示例では振動部材４を構成するリング状のヨーク４ａ，マグネット４ｂ及びプレート４ｃを、２カ所以上で支持するように構成している。このように、複数の弾性支持部材とすることにより、振動部材４の振動をより安定に行うことができるものである。
　【００２０】
　また、更に他の実施例によれば、電気信号を振動に変換する方式として、圧電素子やマグネティックスピーカの原理を応用したものでもよい。また、電気音響変換装置のヨークに直接弾性支持部材を取りつけて一体化したユニットとしてもよい。また、振動部材の質量をかなり大きくし同時に弾性支持部材の弾性係数を大きくし共振周波数をキープすれば、振動ドライバアンプを廃止し電気音響変換装置に供給される電気信号と同じ電気信号を振動の発生信号としてそのまま使用してほぼ同等の効果を得ることも可能である。
　【００２１】
　【発明の効果】
　以上のように本発明は、電気信号を音響信号に変換する電気音響変換装置と、当該電気音響変換装置を格納する筐体と、一端が前記筐体もしくは当該筐体と一体の基台に固定された弾性支持部材と、該弾性支持部材の他端に設けられた振動部材
とを備え、
前記筐体側に固定されたコイルに電流が流れることにより当該コイルに対して相対的に変化するように、少なくともヨークおよびマグネットを一体的に構成することにより
し、
前記
で所定の振幅をもって振動するように設定し、前記電気音響変換装置に供給される電気信号の低周波成分は、低周波成分を取り出すためのフィルタ及びその低周波成分のアンプを介して供給され、前記コイルに供給される電気信号は、前記電気音響変換装置に供給される低周波成分の電気信号が振動ドライバを介して更にゲインアップされ、周波数特性が前記電気音響変換装置に供給される電気信号と相似の特性を有する電気信号として供給され、前記共振周波数が、前記低周波成分の周波数範囲に含まれるように、前記質量と弾性係数を設定し、
は、前記コイルに供給される電気信号により、
のレベルの大小
ゲインアップされた振幅の
発生し、
前記弾性支持部材を介して前記
、当該
、当該一次振動の振幅に対応して
前記振動部材は、コイルを固定側として当該コイルに電気音響変換装置から生じる音響信号に基づく電流を流すことにより、
の低周波成分の信号のレベルの大小
ち、かつ当該音響信号の低周波成分の信号よりゲインアップされた電気信号に基づく振幅の一次振動として発生し、これに同期した振動を
二次振動として
二次振動
【図面の簡単な説明】
　【図１】
　本発明の第１の実施例におけるヘッドホンの略断面図。
　【図２】
　本発明の第１の実施例におけるヘッドホンに内蔵された振動発生部分を抜き出した上面図、正面図、側面図。
　【図３】
　本発明の第１の実施例におけるヘッドホンを駆動するための回路構成を示した略ブロック図。
　【図４】
　本発明の第１の実施例におけるヘッドホンの駆動回路の周波数特性。
　【図５】
　本発明の第２の実施例におけるヘッドホンの略断面図。
　【図６】
　本発明の第３の実施例におけるヘッドホンの振動部材の支持状態を示す平面図。
　【図７】
　本発明の第４の実施例におけるヘッドホンの振動部材の支持状態を示す断面図。
　【図８】
　従来のヘッドホンの略断面図。
　【符号の説明】
　１　電気音響変換装置
　２　筐体
　３　弾性支持部材
　４　振動部材